(57)【要約】      （修正有）【課題】複数の収納袋が筐体の内部に装着されたときに、回収されるべき収納袋以外の収納袋が装着部から取り外されて回収されてしまうことを防止することができ、このため運用面での汎用性を持たせながら防盗性を高めることができる紙葉類処理機および紙葉類処理方法を提供する。【解決手段】紙葉類処理機（例えば、紙幣処理機１０）は、収納袋（例えば、紙幣収納袋３４）がそれぞれ装着される複数の装着部３２と、各装着部３２に装着された収納袋へのアクセスを装着部３２毎に規制する規制手段と、ある装着部３２から収納袋を取り外して回収する際に、他の装着部３２に装着されている収納袋へのアクセスを規制するよう規制手段を制御する制御部とを備えている。【選択図】図１
2016146142.tif 000002
【特許請求の範囲】
【請求項１】
収納袋がそれぞれ装着される複数の装着部と、
各前記装着部に装着された前記収納袋へのアクセスを前記装着部毎に規制する規制手段と、
ある前記装着部から前記収納袋を取り外して回収する際に、他の前記装着部に装着されている前記収納袋へのアクセスを規制するよう前記規制手段を制御する制御部と、
を備えた、紙葉類処理機。
【請求項２】
前記規制手段は、各前記装着部の収容空間を前記装着部毎に区画する区画部、前記区画部により区画された各前記収容空間に対応して設けられた複数の扉、および各前記扉の開閉を規制する扉開閉規制部を有しており、
前記制御部は、ある前記装着部から前記収納袋を取り外して回収する際に、当該装着部が収容された前記収容空間に対応する前記扉のみを開くことができるよう前記扉開閉規制部を制御するようになっている、請求項１記載の紙葉類処理機。
【請求項３】
前記扉開閉規制部は、電磁ロックにより各前記扉の開閉を規制するようになっている、請求項２記載の紙葉類処理機。
【請求項４】
前記扉開閉規制部は、各前記扉に設けられた錠機構であり、特定の鍵を前記錠機構に差し込むことにより前記扉を開くことができるようになっている、請求項２記載の紙葉類処理機。
【請求項５】
各前記装着部には、当該装着部に装着されている前記収納袋の開口を一時的に閉じる閉止部および前記装着部に装着されている前記収納袋の開口を封止する封止部がそれぞれ設けられており、
前記制御部は、ある前記装着部から前記収納袋を取り外して回収する際に、回収されるべき前記収納袋の前記開口を前記封止部により封止するとともに、それ以外の前記収納袋の前記開口を前記閉止部により一時的に閉じるよう前記閉止部および前記封止部の制御を行う、請求項１乃至４のいずれか一項に記載の紙葉類収納機。
【請求項６】
前記制御部において、前記収納袋が前記装着部から取り外されて回収される度に、前記装着部に装着されている前記収納袋の前記開口を前記閉止部により一時的に閉じるか、当該収納袋の前記開口を前記封止部により封止するか、あるいは当該収納袋の前記開口を開いたままの状態とするかを設定することができるようになっている、請求項５記載の紙葉類収納機。
【請求項７】
操作者のアクセス権限を認証するためのアクセス権限認証手段を更に備え、
各前記装着部にはそれぞれ所定のアクセス権限が割り当てられており、
前記制御部は、前記アクセス権限認証手段により認証されたアクセス権限に対応する前記装着部に装着されている前記収納袋へのアクセスのみを許可し、他の前記装着部に装着されている前記収納袋へのアクセスを規制するよう前記規制手段を制御するようになっている、請求項１乃至６のいずれか一項に記載の紙葉類処理機。
【請求項８】
筐体と、
前記筐体から引き出し可能となっている引き出しユニットと、
を更に備え、
前記筐体からの前記引き出しユニットの引き出し方向に沿って並ぶよう各前記装着部が前記引き出しユニットに設けられており、
前記規制手段は、前記アクセス権限認証手段により認証されたアクセス権限に基づいて、前記筐体からの前記引き出しユニットの引き出し量を調整するようになっている、請求項７記載の紙葉類処理機。
【請求項９】
複数の装着部にそれぞれ収納袋が装着されるような紙葉類処理機における紙葉類処理方法であって、
各前記装着部に装着された前記収納袋へのアクセスを規制手段により前記装着部毎に規制する工程と、
ある前記装着部から前記収納袋を取り外して回収する際に、他の前記装着部に装着されている前記収納袋へのアクセスを規制するよう前記規制手段を制御する工程と、
を備えた、紙葉類処理方法。
【請求項１０】
アクセス権限認証手段により操作者のアクセス権限を認証する工程を更に備え、
各前記装着部にはそれぞれ所定のアクセス権限が割り当てられており、
前記規制手段を制御する工程において、前記アクセス権限認証手段により認証されたアクセス権限に対応する前記装着部に装着されている前記収納袋へのアクセスのみを許可し、他の前記装着部に装着されている前記収納袋へのアクセスを規制するよう前記規制手段を制御する、請求項９記載の紙葉類処理方法。
【発明の詳細な説明】
【技術分野】
【０００１】
本発明は、パウチ袋等の収納袋が装着される装着部を複数備えた紙葉類処理機およびこのような紙葉類処理機による紙葉類処理方法に関する。
【背景技術】
【０００２】
紙幣等の紙葉類の入金処理を行う紙葉類処理機において、機体内に取り込まれた紙葉類をパウチ袋等の収納袋に収納させるようなタイプのものが従来から用いられている。このような紙葉類処理機として、例えば特許文献１等に開示されるものが従来から知られている。特許文献１によれば、このような紙葉類処理機は、例えばスーパーマーケット等の店舗におけるバックヤード領域に設置される現金出納装置の一部（具体的には、紙幣出納装置）として用いられるようになっており、当該現金出納装置は、フロント領域に設けられた現金精算装置へ装填するための釣銭準備金としての貨幣を出金したり、現金精算装置から回収した売上金としての貨幣を入金したりするようになっている。
【０００３】
特許文献１に開示される紙葉類処理機では、１つの紙葉類処理機に対して１つの収納袋を装着することができるようになっている。これに対し、１つの紙葉類処理機に対して複数の収納袋を装着することができるようにした場合には、一方の収納袋に対して、例えば店舗のフロント領域に設けられた現金精算装置へ装填するための釣銭準備金として用いられる紙幣を収納させて紙幣のリサイクルを行うようにし、また、他方の収納袋に対して、例えば警送会社の警備員等により現金出納装置から管理センター等に回収されるような回収紙幣を収納させるような運用を行うことができるようになり、運用面での汎用性を持たせることができるようになる。
【先行技術文献】
【特許文献】
【０００４】
【特許文献１】特開２０１２−１７４１３０号公報
【発明の概要】
【発明が解決しようとする課題】
【０００５】
しかしながら、１つの紙葉類処理機に対して複数の収納袋を装着することができるようにした場合に、各収納袋に割り当てられるアクセス権限が異なるにもかかわらず、例えば紙葉類処理機の前面扉を開くことによって当該紙葉類処理機の内部にアクセスしたときに全ての収納袋が取り出し可能となっていたときには、収納袋の盗難等の様々なトラブルが生じるおそれがある。例えば、一方の収納袋に対して店舗側のアクセス権限が割り当てられているとともに他方の収納袋に対して警送会社側のアクセス権限が割り当てられていたときに、店舗側の店員は警送会社側のアクセス権限が割り当てられた収納袋も筐体の外部に取り出すことができるようになってしまい、防盗性に問題がある。
【０００６】
本発明は、このような点を考慮してなされたものであり、収納袋が装着される装着部を複数備えるとともに、ある装着部から収納袋を取り外して回収する際に、他の装着部に装着されている収納袋へのアクセスを規制するよう規制手段を制御することにより、回収されるべき収納袋以外の収納袋が装着部から取り外されて回収されてしまうことを防止することができ、このため運用面での汎用性を持たせながら防盗性を高めることができる紙葉類処理機および紙葉類処理方法を提供することを目的とする。
【課題を解決するための手段】
【０００７】
本発明の紙葉類処理機は、収納袋がそれぞれ装着される複数の装着部と、各前記装着部に装着された前記収納袋へのアクセスを前記装着部毎に規制する規制手段と、ある前記装着部から前記収納袋を取り外して回収する際に、他の前記装着部に装着されている前記収納袋へのアクセスを規制するよう前記規制手段を制御する制御部と、を備えたことを特徴とする。
【０００８】
このような紙葉類処理機によれば、複数の収納袋が筐体の内部に装着された場合に、ある装着部から収納袋を取り外して回収する際に、他の装着部に装着されている収納袋へのアクセスが規制されるため、回収されるべき収納袋以外の収納袋が装着部から取り外されて回収されてしまうことを防止することができ、このため運用面での汎用性を持たせながら防盗性を高めることができる。
【０００９】
本発明の紙葉類処理機においては、前記規制手段は、各前記装着部の収容空間を前記装着部毎に区画する区画部、前記区画部により区画された各前記収容空間に対応して設けられた複数の扉、および各前記扉の開閉を規制する扉開閉規制部を有しており、前記制御部は、ある前記装着部から前記収納袋を取り外して回収する際に、当該装着部が収容された前記収容空間に対応する前記扉のみを開くことができるよう前記扉開閉規制部を制御するようになっていてもよい。
【００１０】
この場合、前記扉開閉規制部は、電磁ロックにより各前記扉の開閉を規制するようになっていてもよい。
【００１１】
あるいは、前記扉開閉規制部は、各前記扉に設けられた錠機構であり、特定の鍵を前記錠機構に差し込むことにより前記扉を開くことができるようになっていてもよい。
【００１２】
本発明の紙葉類処理機においては、各前記装着部には、当該装着部に装着されている前記収納袋の開口を一時的に閉じる閉止部および前記装着部に装着されている前記収納袋の開口を封止する封止部がそれぞれ設けられており、前記制御部は、ある前記装着部から前記収納袋を取り外して回収する際に、回収されるべき前記収納袋の前記開口を前記封止部により封止するとともに、それ以外の前記収納袋の前記開口を前記閉止部により一時的に閉じるよう前記閉止部および前記封止部の制御を行うようになっていてもよい。
【００１３】
この場合、前記制御部において、前記収納袋が前記装着部から取り外されて回収される度に、前記装着部に装着されている前記収納袋の前記開口を前記閉止部により一時的に閉じるか、当該収納袋の前記開口を前記封止部により封止するか、あるいは当該収納袋の前記開口を開いたままの状態とするかを設定することができるようになっていてもよい。
【００１４】
本発明の紙葉類処理機は、操作者のアクセス権限を認証するためのアクセス権限認証手段を更に備え、各前記装着部にはそれぞれ所定のアクセス権限が割り当てられており、前記制御部は、前記アクセス権限認証手段により認証されたアクセス権限に対応する前記装着部に装着されている前記収納袋へのアクセスのみを許可し、他の前記装着部に装着されている前記収納袋へのアクセスを規制するよう前記規制手段を制御するようになっていてもよい。
【００１５】
この場合、本発明の紙葉類処理機は、筐体と、前記筐体から引き出し可能となっている引き出しユニットと、を更に備え、前記筐体からの前記引き出しユニットの引き出し方向に沿って並ぶよう各前記装着部が前記引き出しユニットに設けられており、前記規制手段は、前記アクセス権限認証手段により認証されたアクセス権限に基づいて、前記筐体からの前記引き出しユニットの引き出し量を調整するようになっていてもよい。
【００１６】
本発明の紙葉類処理方法は、複数の装着部にそれぞれ収納袋が装着されるような紙葉類処理機における紙葉類処理方法であって、各前記装着部に装着された前記収納袋へのアクセスを規制手段により前記装着部毎に規制する工程と、ある前記装着部から前記収納袋を取り外して回収する際に、他の前記装着部に装着されている前記収納袋へのアクセスを規制するよう前記規制手段を制御する工程と、を備えたことを特徴とする。
【００１７】
このような紙葉類処理方法によれば、複数の収納袋が筐体の内部に装着された場合に、ある装着部から収納袋を取り外して回収する際に、他の装着部に装着されている収納袋へのアクセスが規制されるため、回収されるべき収納袋以外の収納袋が装着部から取り外されて回収されてしまうことを防止することができ、このため運用面での汎用性を持たせながら防盗性を高めることができる。
【００１８】
本発明の紙葉類処理方法は、アクセス権限認証手段により操作者のアクセス権限を認証する工程を更に備え、各前記装着部にはそれぞれ所定のアクセス権限が割り当てられており、前記規制手段を制御する工程において、前記アクセス権限認証手段により認証されたアクセス権限に対応する前記装着部に装着されている前記収納袋へのアクセスのみを許可し、他の前記装着部に装着されている前記収納袋へのアクセスを規制するよう前記規制手段を制御するようになっていてもよい。
【発明の効果】
【００１９】
本発明の紙葉類処理機および紙葉類処理方法によれば、複数の収納袋が筐体の内部に装着されたときに、回収されるべき収納袋以外の収納袋が装着部から取り外されて回収されてしまうことを防止することができ、このため運用面での汎用性を持たせながら防盗性を高めることができる。
【図面の簡単な説明】
【００２０】
【図１】本発明の実施の形態による紙幣処理機の構成の一例を示す概略構成図である。
【図２】図１に示す紙幣処理機の下部ユニットのＡ−Ａ矢視による内部構成図である。
【図３】図２に示す状態から下部ユニットが筐体の前面から前方に引き出されたときの状態を示す内部構成図である。
【図４】図１等に示す紙幣処理機の制御系の構成を示す機能ブロック図である。
【図５】図２に示す状態から下部ユニットが筐体の前面から所定の引き出し量だけ前方に引き出されたときの状態を示す内部構成図である。
【図６】本発明の実施の形態による紙幣処理機の構成の他の例を示す概略構成図である。
【図７】図６に示す紙幣処理機の下部ユニットのＢ−Ｂ矢視による内部構成図である。
【図８】図７に示す状態から下部ユニットが筐体の前面から前方に引き出されたときの状態を示す内部構成図である。
【発明を実施するための形態】
【００２１】
以下、図面を参照して本発明の実施の形態について説明する。図１乃至図５は、本実施の形態に係る紙幣処理機および紙幣処理方法を示す図である。このうち、図１は、本実施の形態による紙幣処理機の構成の一例を示す概略構成図である。また、図２は、図１に示す紙幣処理機の下部ユニットのＡ−Ａ矢視による内部構成図であり、図３は、図２に示す状態から下部ユニットが筐体の前面から前方に引き出されたときの状態を示す内部構成図である。また、図４は、図１等に示す紙幣処理機の制御系の構成を示す機能ブロック図である。また、図５は、図２に示す状態から下部ユニットが筐体の前面から所定の引き出し量だけ前方に引き出されたときの状態を示す内部構成図である。
【００２２】
本実施の形態による紙幣処理機１０は、概してスーパーマーケット等の店舗のフロント領域やバックヤード領域に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。なお、下部ユニット１６は筐体１２の前面から前方に引き出される代わりに、筐体１２の後面から後方（具体的には、図１における右方向）に引き出し可能となっていてもよい。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００２３】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。また、識別部２６は例えばイメージセンサを有しており、当該イメージセンサにより撮像される紙幣の画像に基づいて当該紙幣の記番号が取得されるようになっている。そして、識別部２６により取得された紙幣の記番号に係る情報は後述する記憶部５４に記憶されるようになっている。このようにして、後述するパウチ袋等の紙幣収納袋３４や収納繰出部３０等に収納された紙幣に対応する記番号が記憶部５４に記憶される。
【００２４】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００２５】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００２６】
図１および図２に示すように、本実施の形態では、下部ユニット１６は区画壁等の区画部１６ｍにより複数（本実施の形態では２つ）の領域１６ｐ、１６ｑに区画されており、各領域１６ｐ、１６ｑには、パウチ袋等の紙幣収納袋３４を装着可能な装着部３２が設けられている。すなわち、本実施の形態では、下部ユニット１６において２つの装着部３２が筐体１２からの当該下部ユニット１６の引き出し方向（すなわち、図１や図２における左方向）に沿って並ぶよう設けられている。
【００２７】
各装着部３２にはそれぞれ一対の保持部材３６が互いに対向するよう離間して設けられており、紙幣収納袋３４の開口近傍における互いに対向する２つの箇所が各保持部材３６によりそれぞれ保持されるようになっている。ここで、ある保持部材３６はその位置が固定されているのに対し、別の保持部材３６は位置固定の保持部材３６に向かって移動することができるようになっている。また、各保持部材３６にはそれぞれ加熱部材３８が設けられている。そして、装着部３２に装着された紙幣収納袋３４に紙幣が収納された後、一方の保持部材３６が他方の保持部材３６に向かって移動してこれらの保持部材３６が互いに接合した状態で、加熱部材３８によって紙幣収納袋３４の開口近傍の箇所に熱が与えられることにより当該紙幣収納袋３４の開口はヒートシール（熱封止）されるようになっている。なお、図２では、図１における左側の装着部３２に装着されている紙幣収納袋３４の開口がヒートシールされる際に当該装着部３２の一方の保持部材３６が他方の保持部材３６に向かって移動してこれらの保持部材３６が互いに接合する態様が左側の保持部材３６に付された矢印によって模式的に示されている。また、各装着部３２において、一対の保持部材３６のうちある１つの保持部材３６が他の保持部材３６に向かって移動する代わりに、両方の保持部材３６がそれぞれ他の保持部材３６に向かって移動してこれらの保持部材３６が互いに接合するようになっていてもよい。
【００２８】
また、図１では図示していないが、各装着部３２において一対の保持部材３６の上方には、搬送部２４から送られた紙幣を一時的に保持するための一時保留部と、一時保留部に一時的に保留される紙幣を紙幣収納袋３４の内部に押し込む押し込み板とがそれぞれ設けられている。具体的には、搬送部２４から各装着部３２に送られた紙幣は一時保留部に積層状態で集積されるようになっており、一時保留部に積層状態で集積された紙幣を紙幣収納袋３４に収納させる際には押し込み板が下方に移動することによってこの一時保留部に集積されている紙幣が下方に押されて紙幣収納袋３４の内部に送られるようになっている。また、紙幣収納袋３４に所定枚数の紙幣が収納されると、押し込み板が下方に移動して紙幣収納袋３４の内部に進入し、この押し込み板によって紙幣収納袋３４に収納されている紙幣が下方に押し込まれて圧縮されるようになっている。
【００２９】
また、操作者は、下部ユニット１６を筐体１２の前面から前方（すなわち、図１における左方向）に引き出すことによって、紙幣が収納された紙幣収納袋３４を装着部３２から取り外したり空の紙幣収納袋３４を装着部３２に装着させたりすることができるようになっている。図２の矢印に示すように、筐体１２から下部ユニット１６を引き出すにあたり、操作者はまず筐体１２の前面に設けられた扉１２ａを開く。そして、扉１２ａが開かれた状態で、操作者は図３の矢印に示すように下部ユニット１６を筐体１２の前面から前方に引き出す。ここで、本実施の形態では、下部ユニット１６において、区画部１６ｍにより区画された領域１６ｐ、１６ｑに対応して２つの扉１７が設けられている。そして、操作者は、取り出したい紙幣収納袋３４が装着された装着部３２に対応する領域１６ｐ、１６ｑの扉１７を開くことにより、当該領域１６ｐ、１６ｑにアクセスして装着部３２から紙幣収納袋３４を取り出すことができるようになる。
【００３０】
本実施の形態では、各扉１７は電磁ロックにより開閉が規制されるようになっている。より詳細には、通常状態では各扉１７は電磁ロックによってロックされており、操作者は筐体１２から下部ユニット１６を引き出しても各扉１７を開くことができないようになっている。これに対し、後述するアクセス権限認証手段４４によって操作者のアクセス権限が認証され、制御部５０においてある紙幣収納袋３４の取り出しが認められた場合に、電磁ロックによる当該紙幣収納袋３４が収容された領域１６ｐ、１６ｑの扉１７のロックが解除され、操作者はこの扉１７を開くことにより領域１６ｐ、１６ｑにアクセスして装着部３２から紙幣収納袋３４を取り外し、下部ユニット１６から当該紙幣収納袋３４を取り出すことができるようになる。このような技術的事項の詳細については後述する。
【００３１】
また、上部ユニット１４において、搬送部２４からは各装着部３２に対応して複数（図１に示す例では２つ）の分岐搬送部２５が分岐しており、搬送部２４から分岐搬送部２５に分岐させられた紙幣が当該分岐搬送部２５から各装着部３２に装着された紙幣収納袋３４に送られて当該紙幣収納袋３４に収納されるようになっている。
【００３２】
また、本実施の形態の紙幣処理機１０には、当該紙幣処理機１０の各構成部材の制御を行う制御部５０が設けられている。より詳細には、図４に示すように、制御部５０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、装着部３２（具体的には、保持部材３６や加熱部材３８）等がそれぞれ通信可能に接続されている。そして、識別部２６による紙幣の識別結果に係る信号が制御部５０に送られるとともに、制御部５０は紙幣処理機１０の各構成部材に指令信号を送ることによりこれらの構成部材の動作を制御するようになっている。
【００３３】
また、図４に示すように、制御部５０には操作表示部５２、記憶部５４、印字部５６および通信インターフェース部５８がそれぞれ通信可能に接続されている。図１に示すように、操作表示部５２は例えば筐体１２の上面に設けられたタッチパネル等からなり、紙幣処理機１０における紙幣の入金処理等の処理状況や、各紙幣収納袋３４に収納されている紙幣の在高等に関する情報が操作表示部５２に表示されるようになっている。また、操作者は操作表示部５２を操作することにより制御部５０に対して様々な指令を与えることができるようになっている。また、操作者は操作表示部５２を操作することにより後述する所定の分類条件を設定することができるようになっていてもよい。
【００３４】
記憶部５４には、紙幣処理機１０における紙幣の入金処理等の処理履歴や、各紙幣収納袋３４に収納されている紙幣の在高等に関する情報が記憶されるようになっている。また、上述したように、記憶部５４には、パウチ袋等の紙幣収納袋３４や収納繰出部３０等に収納された紙幣に対応する記番号が記憶されるようになっている。また、印字部５６は、紙幣処理機１０における紙幣の入金処理等の処理履歴や、各紙幣収納袋３４に収納されている紙幣の在高等に関する情報をレシート等に印字するようになっている。また、制御部５０は通信インターフェース部５８を介して本実施の形態による紙幣処理機１０とは別に設けられた外部装置（具体的には、例えば上位端末）に対して信号の送受信を行うことができるようになっている。例えば、警送会社の警備員等により紙幣収納袋３４が回収される際に、制御部５０はこの紙幣収納袋３４に関する情報を通信インターフェース部５８により警送会社に送信するようになっている。
【００３５】
また、本実施の形態による紙幣処理機１０では、制御部５０に規制手段４０およびアクセス権限認証手段４４がそれぞれ通信可能に接続されている。規制手段４０は、ある装着部３２から紙幣収納袋３４を取り外して回収する際に、他の装着部３２に装着されている紙幣収納袋３４へのアクセスを規制するようになっている。より詳細には、規制手段４０は、下部ユニット１６における各装着部３２の収容空間（具体的には、各領域１６ｐ、１６ｑ）を装着部３２毎に区画する区画部１６ｍ、区画部１６ｍにより区画された各領域１６ｐ、１６ｑに対応して設けられた複数の扉１７、および各扉１７の開閉を規制する扉開閉規制部４２から構成されている。ここで、扉開閉規制部４２は、上述したように電磁ロックにより各扉１７の開閉を規制するようになっている。
【００３６】
また、アクセス権限認証手段４４は、操作者のアクセス権限を認証するようになっている。具体的には、アクセス権限認証手段４４は、操作者が携帯するＩＤカード等の読み取りを行うカードリーダや、操作者の身体的特徴（具体的には、例えば操作者の指紋や血管の形等）に係る情報を取得する生体認証部や、操作者が自己の操作者ＩＤを入力するためのキーボードやタッチパネル等からなり、カードリーダによりＩＤカード等が読み取られたりキーボードやタッチパネル等により操作者ＩＤが入力されたりすることによりアクセス権限認証手段４４において操作者のアクセス権限が認証されるようになっている。また、本実施の形態では、各装着部３２にそれぞれ所定のアクセス権限が割り当てられている。そして、制御部５０は、アクセス権限認証手段４４により認証されたアクセス権限に対応する装着部３２に装着されている紙幣収納袋３４へのアクセスのみを許可し、他の装着部３２に装着されている紙幣収納袋３４へのアクセスを規制するよう規制手段４０（具体的には、電磁ロック等の扉開閉規制部４２）を制御するようになっている。このような技術的事項の詳細については後述する。
【００３７】
次に、このような構成からなる紙幣処理機１０の動作について説明する。なお、以下に示すような紙幣処理機１０の動作は、制御部５０が紙幣処理機１０の各構成部材を制御することにより行われるようになっている。
【００３８】
まず、紙幣処理機１０において紙幣の入金処理を行う際の動作について説明する。操作者が投入部２０に紙幣を投入した後、操作表示部５２により入金処理開始の指令を制御部５０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。また、識別部２６のイメージセンサにより紙幣が撮像され、この紙幣の画像に基づいて当該紙幣の記番号が取得される。識別部２６により取得された紙幣の記番号に係る情報は記憶部５４に記憶される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。
【００３９】
一方、識別部２６により正常な紙幣であると識別された紙幣は搬送部２４から分岐搬送部２５に分岐させられ、当該分岐搬送部２５から紙幣収納袋３４に送られ、この紙幣収納袋３４に収納されるようになる。ここで、本実施の形態による紙幣処理機１０では、制御部５０は、上部ユニット１４の搬送部２４から下部ユニット１６に送られる紙幣を、予め設定された所定の分類条件に基づいて各紙幣収納袋３４に振り分けるよう搬送部２４の制御を行うようになっている。
【００４０】
また、識別部２６により識別された紙幣が送られるべき紙幣収納袋３４がフル状態またはニアフル状態となっており、紙幣収納袋３４に紙幣を収納させることができない場合には、識別部２６により識別された紙幣は収納繰出部３０に送られ、当該収納繰出部３０に収納されるようになっている。そして、フル状態またはニアフル状態となっている紙幣収納袋３４が警送会社の警備員等や店舗の店員等によって下部ユニット１６の装着部３２から取り外され、空の紙幣収納袋３４が装着部３２に装着されると、収納繰出部３０から紙幣が１枚ずつ搬送部２４に繰り出されて当該搬送部２４により紙幣収納袋３４に送られるようになる。
【００４１】
なお、上部ユニット１４の搬送部２４から下部ユニット１６に送られる紙幣を各紙幣収納袋３４に振り分ける際の所定の分類条件としては様々な条件が挙げられるが、このような所定の分類条件の一例として、紙幣処理機１０が設置される店舗で例えば翌日の釣銭準備金として用いられるべき紙幣と、警送会社の警備員等により回収されるべき紙幣とに分類分けするような条件が用いられてもよい。この場合には、識別部２６により紙幣が識別されたときに、紙幣処理機１０が設置される店舗で例えば翌日の釣銭準備金として用いられるべき紙幣であると制御部５０において判断された紙幣は搬送部２４により図１における左側の紙幣収納袋３４に送られ、一方、識別部２６により紙幣が識別されたときに、警送会社の警備員等により回収されるべき紙幣であると制御部５０において判断された紙幣は搬送部２４により図１における右側の紙幣収納袋３４に送られるようになる。
【００４２】
また、所定の分類条件は、補充用の紙幣と、警送会社の警備員等により回収されるべき紙幣とに分類分けするような条件であってもよい。ここで、補充用の紙幣とは、本実施の形態による紙幣処理機１０が設置された店舗内でリサイクルされるべき紙幣のことをいい、具体的には、当該店舗内に設置された現金自動預け払い機（ＡＴＭ）、銀行窓口用紙幣入出金機（ＴＣＲ）、レジ釣銭機、後方入出金機等の装置に補充されるべき紙幣のことをいう。また、所定の分類条件において補充用の紙幣としては概して正券が指定されるようになる。本実施の形態では、識別部２６により紙幣が識別されたときに、補充用の紙幣であると制御部５０において判断された紙幣は搬送部２４により図１における左側の紙幣収納袋３４に送られ、一方、識別部２６により紙幣が識別されたときに、警送会社の警備員等により回収されるべき紙幣であると制御部５０において判断された紙幣は搬送部２４により図１における右側の紙幣収納袋３４に送られるようになっていてもよい。また、本実施の形態では、所定の分類条件として、補充用の紙幣（正券）について特定の金種のみを指定して補充用の紙幣の設定を行うようになっていてもよい。
【００４３】
また、本実施の形態では、釣銭準備金用や補充用として店舗の店員等により用いられる紙幣が図１における左側の紙幣収納袋３４に収納され、警送会社の警備員等により回収されるべき紙幣が右側の紙幣収納袋３４に送られる場合には、制御部５０において、図１における左側の装着部３２に店舗側のアクセス権限が割り当てられ、一方、図１における右側の装着部３２に警送会社側のアクセス権限が割り当てられるようになり、操作者は、対応するアクセス権限の装着部３２が設けられている領域１６ｐ、１６ｑのみにアクセスして当該装着部３２から紙幣収納袋３４を取り外すことができるようになる。
【００４４】
具体的には、操作者が筐体１２の前面から下部ユニット１６を手前側に引き出して当該下部ユニット１６から紙幣収納袋３４を取り出す際に、当該操作者が店舗の店員等である場合には、当該操作者は下部ユニット１６の２つの領域１６ｐ、１６ｑのうち左側の領域１６ｐのみにアクセスして当該領域１６ｐから図１における左側の紙幣収納袋３４のみを取り出すことができるようになる。一方、筐体１２の前面から下部ユニット１６を手前側に引き出した操作者が警送会社の警備員等である場合には、当該操作者は下部ユニット１６の２つの領域１６ｐ、１６ｑのうち右側の領域１６ｑのみにアクセスして当該領域１６ｑから図１における右側の紙幣収納袋３４のみを取り出すことができるようになる。ここで、本実施の形態による紙幣処理機１０では、下部ユニット１６から紙幣収納袋３４を取り出す際に、まず、操作者は、自己が携帯するＩＤカード等をカードリーダにより読み取らせたり、自己の操作者ＩＤをキーボードやタッチパネル等により入力したりする。このことにより、操作者のアクセス権限がアクセス権限認証手段４４により認証される。そして、制御部５０は、アクセス権限認証手段４４により認証されたアクセス権限に対応する装着部３２に装着されている紙幣収納袋３４へのアクセスのみを許可し、他の装着部３２に装着されている紙幣収納袋３４へのアクセスを規制するよう規制手段４０を制御する。具体的には、アクセス権限認証手段４４により認証されたアクセス権限が店舗の店員等に関連するものである場合には、扉開閉規制部４２は、電磁ロックによる領域１６ｐに対応する扉１７のみのロックを解除し、当該扉１７を開くことができるようにする（図３の矢印参照）。このことにより、店舗の店員等は、筐体１２の前面に設けられた扉１２ａを開いて下部ユニット１６を引き出した後、扉１７を開いて領域１６ｐにアクセスすることにより図１における左側の装着部３２から紙幣収納袋３４を取り外して当該紙幣収納袋３４を下部ユニット１６から取り出すことができるようになる。一方、アクセス権限認証手段４４により認証されたアクセス権限が警送会社の警備員等に関連するものである場合には、扉開閉規制部４２は、電磁ロックによる領域１６ｑに対応する扉１７のみのロックを解除し、当該扉１７を開くことができるようにする。このことにより、警送会社の警備員等は、筐体１２の前面に設けられた扉１２ａを開いて下部ユニット１６を引き出した後、扉１７を開いて領域１６ｑにアクセスすることにより図１における右側の装着部３２から紙幣収納袋３４を取り外して当該紙幣収納袋３４を下部ユニット１６から取り出すことができるようになる。
【００４５】
なお、本実施の形態による紙幣処理機１０において、制御部５０は、図１における左側の領域１６ｐおよび右側の領域１６ｑのそれぞれに店舗側のアクセス権限を割り当てることもできる。この場合は、店舗の店員等は、筐体１２の前面に設けられた扉１２ａを開いて下部ユニット１６を引き出した後、領域１６ｐ、１６ｑの各々に対応する扉１７を開いて各領域１６ｐ、１６ｑから紙幣収納袋３４を取り出し、当該紙幣収納袋３４に収納されている紙幣を例えば翌日の釣銭準備金として用いることができるようになる。なお、この場合には、警送会社の警備員等は、各領域１６ｐ、１６ｑの扉１７を開くことができず、よって下部ユニット１６から紙幣収納袋３４を取り出すことができなくなる。また、制御部５０は、図１における左側の領域１６ｐおよび右側の領域１６ｑのそれぞれに警送会社側のアクセス権限を割り当てることもできる。この場合は、警送会社の警備員等は、筐体１２の前面に設けられた扉１２ａを開いて下部ユニット１６を引き出した後、領域１６ｐ、１６ｑの各々に対応する扉１７を開いて各領域１６ｐ、１６ｑから紙幣収納袋３４を取り出して回収することができるようになる。なお、この場合には、店舗の店員等は、各領域１６ｐ、１６ｑの扉１７を開くことができず、よって下部ユニット１６から紙幣収納袋３４を取り出すことができなくなる。このように、本実施の形態では、制御部５０は、各領域１６ｐ、１６ｑにそれぞれ様々なアクセス権限を割り当てることができるため、運用面での十分な汎用性を得ることができる。
【００４６】
また、本実施の形態による紙幣処理機１０では、規制手段４０は、アクセス権限認証手段４４により認証されたアクセス権限に基づいて、筐体１２からの下部ユニット１６の引き出し量を調整するようになっていてもよい。具体的には、図１における左側の装着部３２に店舗側のアクセス権限が割り当てられており、図１における右側の装着部３２に警送会社側のアクセス権限が割り当てられている場合には、アクセス権限認証手段４４により認証されたアクセス権限が店舗の店員等に関連するものであるときに、操作者は下部ユニット１６を図５に示すような位置までしか引き出すことができなくなる。すなわち、規制手段４０は、アクセス権限認証手段４４により認証されたアクセス権限が店舗の店員等に関連するものであるときに、左側の領域１６ｐが筐体１２の外部に引き出されるが右側の領域１６ｑが筐体１２の外部に引き出されないような引き出し量となるよう下部ユニット１６の引き出し量を調整する。このことにより、店舗の店員等は、左側の領域１６ｐにアクセスすることができるが、右側の領域１６ｑにアクセスすることができなくなり、よって右側の領域１６ｑから紙幣収納袋３４を取り出すことができなくなる。一方、アクセス権限認証手段４４により認証されたアクセス権限が警送会社の警備員等に関連するものであるときに、操作者は下部ユニット１６を図３に示すような位置まで引き出すことができるようになるが、左側の領域１６ｐに対応する扉１７は電磁ロックによりロックされて開くことができなくなる。すなわち、規制手段４０は、アクセス権限認証手段４４により認証されたアクセス権限が警送会社の警備員等に関連するものであるときに、左側の領域１６ｐおよび右側の領域１６ｑがそれぞれ筐体１２の外部に引き出されるような引き出し量となるよう下部ユニット１６の引き出し量を調整する。このことにより、警送会社の警備員等は、右側の領域１６ｑにアクセスことができるようになり、よって右側の領域１６ｑから紙幣収納袋３４を取り出すことができるようになる。なお、アクセス権限認証手段４４により認証されたアクセス権限に基づいて、筐体１２からの下部ユニット１６の引き出し量を調整するようになっている場合には、図５に示すように、右側の領域１６ｑへのアクセスを規制する扉１７の設置を省略することができる。
【００４７】
以上のような構成からなる本実施の形態の紙幣処理機１０によれば、紙幣収納袋３４がそれぞれ装着される複数の装着部３２が設けられており、規制手段４０は、各装着部３２に装着された紙幣収納袋３４へのアクセスを装着部３２毎に規制するようになっている。また、制御部５０は、ある装着部３２から紙幣収納袋３４を取り外して回収する際に、他の装着部３２に装着されている紙幣収納袋３４へのアクセスを規制するよう規制手段４０を制御するようになっている。このことにより、複数の紙幣収納袋３４が筐体１２の内部に装着された場合に、ある装着部３２から紙幣収納袋３４を取り外して回収する際に、他の装着部３２に装着されている紙幣収納袋３４へのアクセスが規制されるため、回収されるべき紙幣収納袋３４以外の紙幣収納袋３４が装着部３２から取り外されて回収されてしまうことを防止することができ、このため運用面での汎用性を持たせながら防盗性を高めることができる。
【００４８】
また、本実施の形態の紙幣処理機１０においては、上述したように、規制手段４０は、各装着部３２の収容空間（具体的には、上記の領域１６ｐ、１６ｑ）を装着部３２毎に区画する区画部１６ｍ、区画部１６ｍにより区画された各１６ｐ、１６ｑに対応して設けられた複数の扉１７、および各扉１７の開閉を規制する扉開閉規制部４２を有しており、制御部５０は、ある装着部３２から紙幣収納袋３４を取り外して回収する際に、当該装着部３２が収容された収容空間に対応する扉１７のみを開くことができるよう扉開閉規制部４２を制御するようになっている。また、扉開閉規制部４２は、電磁ロックにより各々の扉１７の開閉を規制するようになっている。
【００４９】
また、本実施の形態の紙幣処理機１０においては、上述したように、操作者のアクセス権限を認証するためのアクセス権限認証手段４４が設けられており、各装着部３２にはそれぞれ所定のアクセス権限が割り当てられている。そして、制御部５０は、アクセス権限認証手段４４により認証されたアクセス権限に対応する装着部３２に装着されている紙幣収納袋３４へのアクセスのみを許可し、他の装着部３２に装着されている紙幣収納袋３４へのアクセスを規制するよう規制手段４０を制御するようになっている。この場合は、操作者は、自己のアクセス権限に対応する装着部３２のみから紙幣収納袋３４を取り外すことができるようになり、自己のアクセス権限とは関係のない装着部３２から紙幣収納袋３４を取り外すことができなくなるため、防盗性をより一層高めることができるようになる。
【００５０】
また、本実施の形態の紙幣処理機１０においては、上述したように、筐体１２からの下部ユニット１６の引き出し方向（すなわち、図１における左方向）に沿って並ぶよう各装着部３２が下部ユニット１６に設けられており、規制手段４０は、アクセス権限認証手段４４により認証されたアクセス権限に基づいて、筐体１２からの下部ユニット１６の引き出し量を調整するようになっていてもよい。この場合には、図１における左側の領域１６ｐに設けられた装着部３２に割り当てられているアクセス権限を有する操作者が下部ユニット１６から紙幣収納袋３４を取り外して回収しようとしたときに、規制手段４０が下部ユニット１６の引き出し量を調整することによって図５に示すように下部ユニット１６は途中までしか引き出すことができないようになり、当該操作者は右側の領域１６ｑにアクセスすることができなくなるため当該領域１６ｑから紙幣収納袋３４を取り出して回収することができなくなる。
【００５１】
なお、本実施の形態による紙幣処理機１０や紙幣処理方法は、上述したような態様に限定されることはなく、様々な変更を加えることができる。
【００５２】
例えば、扉開閉規制部４２は、電磁ロックにより各扉１７の開閉を規制するものに限定されることはない。変形例における紙幣処理機１０において、扉開閉規制部４２は、各扉１７に設けられた錠機構であり、操作者は自己が携帯する特定の鍵を錠機構に差し込むことにより扉１７を開くことができるようになっていてもよい。より詳細には、操作者のアクセス権限を認証するためのアクセス権限認証手段４４が設けられており、各装着部３２にそれぞれ所定のアクセス権限が割り当てられている場合には、各領域１６ｐ、１６ｑに対応する扉１７は、当該領域１６ｐ、１６ｑに設けられた装着部３２に割り当てられているアクセス権限に対応する特定の鍵のみによって開くことができるようになる。具体的に説明すると、図１における左側の装着部３２に店舗側のアクセス権限が割り当てられており、図１における右側の装着部３２に警送会社側のアクセス権限が割り当てられている場合には、左側の領域１６ｐの扉１７は店舗の店員等が携帯する鍵のみによって開くことができるようになり、一方、右側の領域１６ｑの扉１７は警送会社の警備員等が携帯する鍵のみによって開くことができるようになる。この場合でも、複数の紙幣収納袋３４が筐体１２の内部に装着された場合に、ある装着部３２から紙幣収納袋３４を取り外して回収する際に、他の装着部３２に装着されている紙幣収納袋３４へのアクセスが規制されるため、回収されるべき紙幣収納袋３４以外の紙幣収納袋３４が装着部３２から取り外されて回収されてしまうことを防止することができ、このため運用面での汎用性を持たせながら防盗性を高めることができる。
【００５３】
また、別の変形例に係る紙幣処理機として、図６乃至図８に示すような構成の紙幣処理機１０ａが用いられてもよい。ここで、図６は、別の変形例に係る紙幣処理機１０ａの構成を示す概略構成図であり、図７は、図６に示す紙幣処理機１０ａの下部ユニット１６のＢ−Ｂ矢視による内部構成図である。また、図８は、図７に示す状態から下部ユニット１６が筐体１２の前面から前方に引き出されたときの状態を示す内部構成図である。
【００５４】
図６乃至図８に示す紙幣処理機１０ａでは、図１乃至図５に示す紙幣処理機１０と比較して、下部ユニット１６は区画部１６ｍにより複数の領域に区画されておらず、複数の装着部３２やこれらの装着部３２に装着される複数の紙幣収納袋３４は同じ収容空間に収容されるようになっている。また、図６乃至図８に示す紙幣処理機１０ａでは、制御部５０は、ある装着部３２から紙幣収納袋３４を取り外して回収する際に、回収されるべき紙幣収納袋３４の開口を加熱部材３８によりヒートシール（熱封止）するとともに、それ以外の紙幣収納袋３４の開口を保持部材３６により一時的に閉じるようになっている。具体的に説明すると、図６における左側の装着部３２に店舗側のアクセス権限が割り当てられており、図６における右側の装着部３２に警送会社側のアクセス権限が割り当てられている場合において、操作者が下部ユニット１６から紙幣収納袋３４を取り出して回収しようとしたときに、まず、当該操作者は、自己が携帯するＩＤカード等をカードリーダにより読み取らせたり、自己の操作者ＩＤをキーボードやタッチパネル等により入力したりする。このことにより、操作者のアクセス権限がアクセス権限認証手段４４により認証される。ここで、アクセス権限認証手段４４により認証されたアクセス権限が例えば店舗側のものであった場合には、左側の装着部３２において一方の保持部材３６が他方の保持部材３６に向かって移動してこれらの保持部材３６が互いに接合した状態で、加熱部材３８によって紙幣収納袋３４の開口近傍の箇所に熱が与えられることにより当該紙幣収納袋３４の開口はヒートシール（熱封止）されるようになる。一方、右側の装着部３２では、一方の保持部材３６が他方の保持部材３６に向かって移動してこれらの保持部材３６が互いに接合した状態となるが、この装着部３２に装着される紙幣収納袋３４の開口は加熱部材３８によりヒートシールされない。なお、図７では、図６における左側の装着部３２に装着されている紙幣収納袋３４の開口がヒートシールされる際に左側の装着部３２および右側の装着部３２の各々における一方の保持部材３６が他方の保持部材３６に向かって移動してこれらの保持部材３６が互いに接合する態様が各装着部３２の左側の保持部材３６に付された矢印によって模式的に示されている。
【００５５】
その後、図７に示すように操作者が筐体１２の前面に設けられた扉１２ａを開き、図８に示すように下部ユニット１６を筐体１２の前面から前方に引き出すと、操作者は左側の装着部３２から紙幣収納袋３４を取り外して下部ユニット１６から回収することができるようになる。一方、右側の装着部３２に装着されている紙幣収納袋３４は、一対の保持部材３６によりその開口が閉じられているため、当該操作者は紙幣収納袋３４から紙幣を取り出すことができなくなり、よって防盗性を高めることができるようになる。
【００５６】
また、図６乃至図８に示す紙幣処理機１０ａでは、制御部５０において、下部ユニット１６から紙幣収納袋３４が取り出されて回収される度に、装着部３２に装着されている紙幣収納袋３４の開口を一対の保持部材３６により一時的に閉じるか、当該紙幣収納袋３４の開口を加熱部材３８によりヒートシールするか、あるいは当該紙幣収納袋３４の開口を開いたままの状態とするかを設定することができるようになっていてもよい。例えば、図６における２つの装着部３２にそれぞれ店舗側のアクセス権限が割り当てられている場合でも、店舗の店員が下部ユニット１６から紙幣収納袋３４を取り出して回収する場合には各装着部３２に装着されている紙幣収納袋３４の開口が一対の保持部材３６により一時的に閉じられ、一方、店舗の責任者が下部ユニット１６から紙幣収納袋３４を取り出して回収する場合には各装着部３２に装着されている紙幣収納袋３４の開口が開いたままの状態となるようになっていてもよい。この場合には、責任の度合いが比較的低い店舗の店員が紙幣収納袋３４から紙幣を取り出すことを確実に防止することができるようになるため、防盗性をより一層高めることができる。また、店舗の責任者が下部ユニット１６から紙幣収納袋３４を取り出して回収する場合には各装着部３２に装着されている紙幣収納袋３４の開口が加熱部材３８によりヒートシールされるようになっていてもよい。この場合には、開口がヒートシールされた紙幣収納袋３４を店舗の責任者が紙幣処理機１０ａの筐体１２外に取り出すことができるようになる。また、紙幣収納袋３４の回収を目的として下部ユニット１６を筐体１２の前面から前方に引き出す場合には各装着部３２に装着されている紙幣収納袋３４の開口が加熱部材３８によりヒートシールされ、一方、下部ユニット１６においてエラーが発生したことにより当該下部ユニット１６を筐体１２の前面から前方に引き出す場合には各装着部３２に装着される紙幣収納袋３４の開口が開いたままの状態で維持されるようになっていてもよい。
【００５７】
また、本発明による紙葉類処理機は、上述した、紙幣の入金処理等の様々な処理を行う紙幣処理機１０、１０ａに限定されることはない。本発明による紙葉類処理機として、紙幣以外の小切手、商品券等の紙葉類の入金処理等の様々な処理を行うことができるものが用いられてもよい。
【符号の説明】
【００５８】
１０、１０ａ  紙幣処理機
１２    筐体
１２ａ  扉
１４    上部ユニット
１６    下部ユニット
１６ｍ  区画部
１６ｐ、１６ｑ  領域
１７    扉
２０    投入部
２０ａ  紙幣繰出機構
２２    投出部
２２ａ  羽根車
２２ｂ  羽根車駆動部
２４    搬送部
２５    分岐搬送部
２６    識別部
３０    収納繰出部
３０ａ  ドラム
３１    テープ
３２    装着部
３４    紙幣収納袋
３６    保持部材
３８    加熱部材
４０    規制手段
４２    扉開閉規制部
４４    アクセス権限認証手段
５０    制御部
５２    操作表示部
５４    記憶部
５６    印字部
５８    通信インターフェース部
【図１】
2016146142.tif 000003
【図２】
2016146142.tif 000004
【図３】
2016146142.tif 000005
【図４】
2016146142.tif 000006
【図５】
2016146142.tif 000007
【図６】
2016146142.tif 000008
【図７】
2016146142.tif 000009
【図８】
2016146142.tif 000010